(57)【要約】      （修正有）【課題】緊急時又はそれと類似する場合においてチャネル帯域幅を最大化すること。【解決手段】専用狭域通信（ＤＳＲＣ）装置を制御するために使用されるＤＳＲＣコントローラは、メモリ装置に通信可能に接続されたプロセッサを有する。プロセッサは、ＤＳＲＣ装置の通信プロファイルを記憶するようにプログラムされている。通信プロファイルは、ＤＳＲＣ装置による送受信のための規則を有する。さらに、プロセッサは、ＤＳＲＣゾーンを示すＤＳＲＣゾーン情報を受信し、ＤＳＲＣ装置の現在位置を決定し、現在位置をＤＳＲＣゾーン情報と比較し、比較に基づいて、ＤＳＲＣ装置がＤＳＲＣゾーン内に位置しているかどうかを判定し、ＤＳＲＣ装置がＤＳＲＣゾーン内に位置していると判定された場合、ＤＳＲＣゾーン情報に基づいて、通信プロファイルをアップデートするように、プログラムされている。【選択図】図５
2018125847.tif 000002
【特許請求の範囲】
【請求項１】
専用狭域通信（以下、ＤＳＲＣと呼ぶ）装置を制御するために使用されるＤＳＲＣコントローラであって、前記ＤＳＲＣコントローラは、記憶装置に通信可能に接続されたプロセッサを有し、該プロセッサは、
前記ＤＳＲＣ装置による送受信のための規則を含む前記ＤＳＲＣ装置の通信プロファイルを記憶することと、
ＤＳＲＣゾーンを記述するＤＳＲＣゾーン情報を受信することと、
前記ＤＳＲＣ装置の現在位置を決定することと、
前記現在位置を前記ＤＳＲＣゾーン情報と比較することと、
前記比較に基づいて、前記ＤＳＲＣ装置がＤＳＲＣゾーン内に位置しているかどうかを判定することと、
前記ＤＳＲＣ装置が前記ＤＳＲＣゾーン内に位置していると判定された場合、前記ＤＳＲＣゾーン情報に基づいて、前記通信プロファイルをアップデートすることと、
を行うようにプログラムされていることを特徴とするＤＳＲＣコントローラ。
【請求項２】
請求項１記載のＤＳＲＣコントローラにおいて、前記プロセッサはさらに、
ＤＳＲＣレイヤーを含む複数の地図情報を記憶することと、
受信した前記ＤＳＲＣゾーン情報を前記ＤＳＲＣレイヤーに付加することと、
を行うようにプログラムされ、
前記ＤＳＲＣレイヤーは１つ又は複数のＤＳＲＣゾーンを含むことを特徴とするＤＳＲＣコントローラ。
【請求項３】
請求項２記載のＤＳＲＣコントローラにおいて、前記プロセッサはさらに、前記現在位置と前記ＤＳＲＣレイヤーとを比較して、前記現在位置が前記ＤＳＲＣレイヤーに含まれるＤＳＲＣゾーン内にあるかどうかを判定することを行うようにプログラムされていることを特徴とするＤＳＲＣコントローラ。
【請求項４】
請求項１記載のＤＳＲＣコントローラにおいて、前記ＤＳＲＣゾーン情報は、少なくとも、前記ＤＳＲＣゾーンの位置及び種類を含むことを特徴とするＤＳＲＣコントローラ。
【請求項５】
請求項１記載のＤＳＲＣコントローラにおいて、前記ＤＳＲＣゾーン情報は、前記ＤＳＲＣゾーンが一時的ＤＳＲＣゾーンであることを記述することを特徴とするＤＳＲＣコントローラ。
【請求項６】
請求項５記載のＤＳＲＣコントローラにおいて、前記プロセッサはさらに、
前記一時的ＤＳＲＣゾーンが終了したことを知らせるメッセージを受信することと、
前記ＤＳＲＣゾーン情報を除去するように前記通信プロファイルをアップデートすることと、
を行うようにプログラムされていることを特徴とするＤＳＲＣコントローラ。
【請求項７】
請求項１記載のＤＳＲＣコントローラにおいて、前記プロセッサはさらに、全地球測位システム（ＧＰＳ）装置からの位置情報又はＷｉ−Ｆｉ位置検知システムからの位置情報のうちの少なくとも１つに基づいて、前記ＤＳＲＣ装置の前記現在位置を決定することを行うようにプログラムされていることを特徴とするＤＳＲＣコントローラ。
【請求項８】
請求項１記載のＤＳＲＣコントローラにおいて、前記プロセッサはさらに、前記ＤＳＲＣゾーン情報に基づいて、前記現在位置が前記ＤＳＲＣゾーンから所定距離内にあるかどうかを判定することを行うようにプログラムされていることを特徴とするＤＳＲＣコントローラ。
【請求項９】
請求項１記載のＤＳＲＣコントローラにおいて、前記プロセッサはさらに、
後続する時間において、前記ＤＳＲＣ装置の更新された現在位置を決定することと、
前記更新された現在位置と前記ＤＳＲＣゾーン情報とに基づいて、前記ＤＳＲＣ装置が前記ＤＳＲＣゾーン内に位置していないことを決定することと、
前記ＤＳＲＣゾーン情報を除去するように前記通信プロファイルをアップデートすることと、
を行うようにプログラムされていることを特徴とするＤＳＲＣコントローラ。
【請求項１０】
請求項１記載のＤＳＲＣコントローラにおいて、前記プロセッサはさらに、前記ＤＳＲＣ装置が前記ＤＳＲＣゾーン内において送信を行わないように前記通信プロファイルをアップデートすることを行うようにプログラムされていることを特徴とするＤＳＲＣコントローラ。
【請求項１１】
請求項１記載のＤＳＲＣコントローラにおいて、前記プロセッサはさらに、情報ダウンロードモードを有効にするように前記通信プロファイルをアップデートすることを行うようにプログラムされていることを特徴とするＤＳＲＣコントローラ。
【請求項１２】
請求項１記載のＤＳＲＣコントローラにおいて、前記プロセッサはさらに、前記ＤＳＲＣ装置が前記ＤＳＲＣゾーンにいる間は１つ又は複数の種類のメッセージを送信しないように前記通信プロファイルをアップデートすることを行うようにプログラムされていることを特徴とするＤＳＲＣコントローラ。
【請求項１３】
専用狭域通信（以下、ＤＳＲＣと呼ぶ）装置を制御するコンピュータベースの方法であって、該方法はメモリと通信可能なＤＳＲＣコントローラを用いて実施され、該方法は、
前記ＤＳＲＣ装置による送受信のための規則を含む前記ＤＳＲＣ装置の通信プロファイルを前記メモリに記憶するステップと、
前記ＤＳＲＣコントローラで、ＤＳＲＣゾーンを記述するＤＳＲＣゾーン情報を受信するステップと、
前記ＤＳＲＣコントローラによって、前記ＤＳＲＣ装置の現在位置を決定するステップと、
前記ＤＳＲＣコントローラによって、前記現在位置を前記ＤＳＲＣゾーン情報と比較するステップと、
前記ＤＳＲＣコントローラによって、前記比較に基づいて、前記ＤＳＲＣ装置がＤＳＲＣゾーン内に位置しているかどうかを判定するステップと、
前記ＤＳＲＣ装置が前記ＤＳＲＣゾーン内に位置していると判定された場合、前記ＤＳＲＣゾーン情報に基づいて、前記通信プロファイルをアップデートするステップと、
を有するＤＳＲＣ装置を制御するコンピュータベースの方法。
【請求項１４】
請求項１３記載の方法において、
ＤＳＲＣレイヤーを含む複数の地図情報を記憶するステップと、
受信した前記ＤＳＲＣゾーン情報を前記ＤＳＲＣレイヤーに付加するステップと、
をさらに有し、
前記ＤＳＲＣレイヤーは１つ又は複数のＤＳＲＣゾーンを含むことを特徴とする方法。
【請求項１５】
請求項１４記載の方法において、前記現在位置と前記ＤＳＲＣレイヤーとを比較して、前記現在位置が、前記ＤＳＲＣレイヤーに含まれるＤＳＲＣゾーン内に位置しているかどうかを判定するステップをさらに有することを特徴とする方法。
【請求項１６】
請求項１３記載の方法において、前記ＤＳＲＣゾーン情報は、前記ＤＳＲＣゾーンが一時的ＤＳＲＣゾーンであることを記述し、前記方法は、
前記一時的ＤＳＲＣゾーンが終了したことを知らせるメッセージを受信するステップと、
前記ＤＳＲＣゾーン情報を除去するように前記通信プロファイルをアップデートするステップと、
をさらに有することを特徴とする方法。
【請求項１７】
請求項１３記載の方法において、
後続する時間において、前記ＤＳＲＣ装置の更新された現在位置を決定するステップと、
前記更新された現在位置と前記ＤＳＲＣゾーン情報とに基づいて、前記ＤＳＲＣ装置が前記ＤＳＲＣゾーンに位置していないことを決定するステップと、
前記ＤＳＲＣゾーン情報を除去するように前記通信プロファイルをアップデートするステップと、
をさらに有することを特徴とする方法。
【請求項１８】
専用狭域通信（以下、ＤＳＲＣと呼ぶ）装置を制御するための非一過性コンピュータ読取可能記憶装置であって、該記憶装置は、該記憶装置上で具現化されるプロセッサ実行可能命令を有し、前記プロセッサ実行可能命令が、メモリに通信可能に接続されたＤＳＲＣコントローラによって実行されると、前記プロセッサ実行可能命令は、前記ＤＳＲＣコントローラに、
前記ＤＳＲＣ装置による送受信のための規則を含む前記ＤＳＲＣ装置の通信プロファイルを記憶することと、
ＤＳＲＣゾーンを記述するＤＳＲＣゾーン情報を受信することと、
前記ＤＳＲＣ装置の現在位置を決定することと、
前記現在位置を前記ＤＳＲＣゾーン情報と比較することと、
前記比較に基づいて、前記ＤＳＲＣ装置がＤＳＲＣゾーン内に位置しているかどうかを判定することと、
前記ＤＳＲＣ装置が前記ＤＳＲＣゾーン内に位置していると判定された場合、前記ＤＳＲＣゾーン情報に基づいて、前記通信プロファイルをアップデートすることと、
を行わせることを特徴とする非一過性コンピュータ読取可能記憶装置。
【請求項１９】
請求項１８記載の非一過性コンピュータ読取可能記憶装置において、前記プロセッサ実行可能命令はさらに、前記ＤＳＲＣコントローラに、
ＤＳＲＣレイヤーを含む複数の地図情報を記憶することと、
受信した前記ＤＳＲＣゾーン情報を前記ＤＳＲＣレイヤーに付加することと、
を行わせ、
前記ＤＳＲＣレイヤーは１つ又は複数のＤＳＲＣゾーンを含むことを特徴とする非一過性コンピュータ読取可能記憶装置。
【請求項２０】
請求項１９記載の非一過性コンピュータ読取可能記憶装置において、前記プロセッサ実行可能命令はさらに、前記ＤＳＲＣコントローラに、前記現在位置と前記ＤＳＲＣレイヤーとを比較して、前記現在位置が前記ＤＳＲＣレイヤーに含まれるＤＳＲＣゾーン内にあるかどうかを判定することを、行わせることを特徴とする非一過性コンピュータ読取可能記憶装置。
【発明の詳細な説明】
【技術分野】
【０００１】
本発明は一般には、専用狭域通信（ＤＳＲＣ）装置の制御に関し、より詳細には、ＤＳＲＣ装置が現在ある地理的位置に基づいてＤＳＲＣ装置の通信プロファイルを制御する際に使用される方法及びシステムに関する。
【背景技術】
【０００２】
いくつかの車両やナビゲーションシステムは、専用狭域通信（ＤＳＲＣ）機能を有する。ＤＳＲＣでは、ＤＳＲＣ対応機器間において、ナビゲーションや脅威検出や安全メッセージのための通信のやりとりが可能となる。車車間（Ｖ２Ｖ）通信や路車間（Ｖ２Ｉ）通信を用いた通信の増大に伴い、ＤＳＲＣ対応機器の台数が日ごとに増大している。
【発明の概要】
【発明が解決しようとする課題】
【０００３】
ＤＳＲＣのような特定の通信チャネルを利用する機器が増えるに伴い、通信チャネル帯域幅が制限されてくる。チャネル帯域幅が減少すると、ある限定された地理的領域内において膨大な数の装置による送信が行われることによって、チャネルが混雑し緊急のためのチャネルの使用や該領域内の機関によるチャネルの使用が妨げられるような緊急時又はそれと類似する場合において、緊急通信や該領域内の機関の通信が弱められるといった状況が発生する場合がある。ある場所において、ＤＳＲＣメッセージを全てのユーザに送信することは、不必要で冗長なものになる。従って、重要な通信が失われたり或いは遅れたりすることがないように、緊急時又はそれと類似する場合においてチャネル帯域幅を最大化することが望まれる。
【課題を解決するための手段】
【０００４】
本発明の第１の態様において、専用狭域通信（以下、ＤＳＲＣと呼ぶ）装置を制御するために使用されるＤＳＲＣコントローラが提供される。前記ＤＳＲＣコントローラは、記憶装置に通信可能に接続されたプロセッサを有する。該プロセッサは、前記ＤＳＲＣ装置の通信プロファイルを記憶するようにプログラムされている。前記通信プロファイルは、前記ＤＳＲＣ装置による送受信のための規則を含む。前記プロセッサはまた、ＤＳＲＣゾーンを記述するＤＳＲＣゾーン情報を受信することと、前記ＤＳＲＣ装置の現在位置を決定することと、前記現在位置を前記ＤＳＲＣゾーン情報と比較することと、前記比較に基づいて、前記ＤＳＲＣ装置がＤＳＲＣゾーン内に位置しているかどうかを判定することと、前記ＤＳＲＣ装置が前記ＤＳＲＣゾーン内に位置していると判定された場合、前記ＤＳＲＣゾーン情報に基づいて、前記通信プロファイルをアップデートすることと、を行うようにプログラムされている。
【０００５】
本発明の他の態様において、専用狭域通信（以下、ＤＳＲＣと呼ぶ）装置を制御するコンピュータベースの方法が提供される。該方法は、メモリと通信可能なＤＳＲＣコントローラを用いて実施される。該方法は、前記ＤＳＲＣ装置による送受信のための規則を含む前記ＤＳＲＣ装置の通信プロファイルを前記メモリに記憶するステップを有する。該方法はさらに、前記ＤＳＲＣコントローラで、ＤＳＲＣゾーンを記述するＤＳＲＣゾーン情報を受信するステップと、前記ＤＳＲＣコントローラによって、前記ＤＳＲＣ装置の現在位置を決定するステップと、前記ＤＳＲＣコントローラによって、前記現在位置を前記ＤＳＲＣゾーン情報と比較するステップと、前記ＤＳＲＣコントローラによって、前記比較に基づいて、前記ＤＳＲＣ装置がＤＳＲＣゾーン内に位置しているかどうかを判定するステップと、前記ＤＳＲＣ装置が前記ＤＳＲＣゾーン内に位置していると判定された場合、前記ＤＳＲＣゾーン情報に基づいて、前記通信プロファイルをアップデートするステップと、を有する。
【０００６】
本発明のさらに他の態様において、専用狭域通信（以下、ＤＳＲＣと呼ぶ）装置を制御するための非一過性コンピュータ読取可能記憶装置が提供される。該記憶装置は、該記憶装置上で具現化されるプロセッサ実行可能命令を有する。前記プロセッサ実行可能命令がメモリに通信可能に接続されたＤＳＲＣコントローラによって実行されると、前記プロセッサ実行可能命令は、前記ＤＳＲＣコントローラに対して、前記ＤＳＲＣ装置の通信プロファイルを記憶することを行わせる。前記通信プロファイルは前記ＤＳＲＣ装置による送受信のための規則を含む。前記プロセッサ実行可能命令はさらに、前記ＤＳＲＣコントローラに対して、前記ＤＳＲＣゾーンを記述するＤＳＲＣゾーン情報を受信することと、前記ＤＳＲＣ装置の現在位置を決定することと、前記現在位置を前記ＤＳＲＣゾーン情報と比較することと、前記比較に基づいて、前記ＤＳＲＣ装置がＤＳＲＣゾーン内に位置しているかどうかを判定することと、前記ＤＳＲＣ装置が前記ＤＳＲＣゾーン内に位置していると判定された場合、前記ＤＳＲＣゾーン情報に基づいて、前記通信プロファイルをアップデートすることと、を行わせる。
【０００７】
図１Ａ〜図６は、本明細書で記載される方法及びシステムの実施形態を示す。
【図面の簡単な説明】
【０００８】
【図１Ａ】図１Ａは、本発明の実施形態におけるＤＳＲＣゾーンを含む地図の例を示す図である。
【図１Ｂ】図１Ｂは、本発明の実施形態におけるＤＳＲＣゾーンを含む地図の例を示す図である。
【図１Ｃ】図１Ｃは、本発明の実施形態におけるＤＳＲＣゾーンを含む地図の例を示す図である。
【図２】図２は、図１Ｃに示されるＤＳＲＣ地図に基づいてＤＳＲＣ装置の通信プロファイルを制御する際に使用されるＤＳＲＣシステム例の概略ブロック図である。
【図３】図３は、本発明の一実施形態に係る、図２に示されるクライアントシステムの構成例の図である。
【図４】図４は、本発明の一実施形態に係る、図２に示されるサーバシステムの構成例の図である。
【図５】図５は、図２に示されるＤＳＲＣ通信コントローラを用いて、ＤＳＲＣ装置が現在ある地理的位置に基づいてＤＳＲＣ装置の通信プロファイルを制御するためのプロセスのフローチャートである。
【図６】図６は、図２に示されるＤＳＲＣシステムにおいて使用される１つ又は複数の演算装置の構成部分の概略図である。
【発明を実施するための形態】
【０００９】
以下の記載において、実施形態の説明は、本発明を制限するためのものではなく、あくまでも例示するために行われる。以下の記載により、当業者は、本開示を作製し使用することが明確に可能となり、また、本開示を実施するための最良の形態を含む実施形態、改良例、変更例、変形例及び使用例が説明される。これらシステム及び方法は、ＤＳＲＣ装置が現在ある地理的位置に基づいて、ＤＳＲＣ装置の通信プロファイルを制御する際に使用される。
【００１０】
ここで記載される方法及びシステムは、コンピュータソフトウェア、ファームウェア、ハードウェア、又はそれらの組み合わせ又はそれらの一部を含むコンピュータプログラミング技術又はコンピュータ工学技術を用いて実施される。上述のように、既知のシステムにおける少なくとも１つの技術的課題は、ＤＳＲＣ装置の存在する位置に基づいて、該装置の通信特性を動的に変化させる必要があるということである。ここで記載されるシステム及び方法は、その技術的課題に対処する。ここで記載されるシステム及びプロセスの技術的効果は、以下のステップのうちの少なくとも１つを実行することによって実現される。すなわち、（ａ）ＤＳＲＣ装置による送受信の規則を含むＤＳＲＣ装置の通信プロファイルを記憶するステップ、（ｂ）ＤＳＲＣゾーンを記述するＤＳＲＣゾーン情報を受信するステップ、ここでＤＳＲＣゾーン情報は少なくとも、ＤＳＲＣゾーンの位置及び種類を含む、（ｃ）全地球測位システム（ＧＰＳ）装置からの位置情報又はＷｉ−Ｆｉ位置検知システムからの位置情報のうちの少なくとも１つに基づいて、ＤＳＲＣ装置の現在位置を決定するステップ、（ｄ）現在位置とＤＳＲＣゾーン情報とを比較するステップ、（ｅ）比較結果に基づいてＤＳＲＣ装置がＤＳＲＣゾーン内に位置しているかどうかを判定するステップ、（ｆ）ＤＳＲＣゾーン情報に基づいて、現在位置がＤＳＲＣゾーンから所定距離内にあるかどうかを判定するステップ、及び（ｇ）ＤＳＲＣ装置がＤＳＲＣゾーン内にあると判定した場合、ＤＳＲＣゾーン情報に基づいて通信プロファイルをアップデートして、ＤＳＲＣ装置がそのＤＳＲＣゾーン内において送信しないようにすること、情報ダウンロードモードを有効にすること、又はＤＳＲＣ装置がそのＤＳＲＣゾーン内にいる間は、１つ又は複数の種類のメッセージを送信させないようにすること、のうちの少なくとも１つを行うステップ、である。これによる技術的効果は、ＤＳＲＣ装置が、装置の位置における現在の状態に基づいて通信パラメータを動的に調整できるということである。
【００１１】
いくつかの実施形態おいて、ここで記載されるシステム及びプロセスの技術的効果は、以下のステップのうちの少なくとも１つを行うことによって実現される。すなわち、（ａ）後続の時間において、ＤＳＲＣ装置の更新された現在位置を決定するステップ、（ｂ）更新された現在位置及びＤＳＲＣゾーン情報に基づいて、ＤＳＲＣ装置がＤＳＲＣゾーン内に位置していないことを決定するステップ、及び（ｃ）通信プロファイルをアップデートして、ＤＲＳＣゾーン情報を除去するステップ、である。
【００１２】
いくつかの他の実施形態において、ここで記載されるシステム及びプロセスの技術的効果は、以下のステップのうちの少なくとも１つを実行することによって実現される。すなわち、（ａ）ＤＳＲＣゾーンを記述するＤＳＲＣゾーン情報を受信するステップ、ここでＤＳＲＣゾーン情報は、一時的ＤＳＲＣゾーンを記述する、（ｂ）一時的ＤＳＲＣゾーンの終了を示すメッセージを受信するステップ、及び（ｃ）通信プロファイルをアップデートして、ＤＳＲＣゾーン情報を除去するステップ、である。
【００１３】
他の実施形態において、ここで記載されるシステム及びプロセスの技術的効果は、以下のステップのうちの少なくとも１つを実行することによって実現される。すなわち、（ａ）ＤＳＲＣレイヤーを含む複数の地図情報を記憶するステップ、ここでＤＳＲＣレイヤーは１つ又は複数のＤＳＲＣゾーンを含む、（ｂ）受信したＤＳＲＣゾーン情報をＤＳＲＣレイヤーに付加するステップ、及び（ｃ）現在位置をＤＳＲＣレイヤーと比較して、現在位置がＤＳＲＣレイヤー内に含まれるＤＳＲＣゾーン内に位置しているかどうかを判定するステップ、である。
【００１４】
他の実施形態において、コンピュータプログラムが設けられ、該プログラムは、コンピュータ読取可能メディアにおいて具体化される。一実施形態において、システムは、サーバコンピュータに接続する必要なしで、単一のコンピュータシステムにおいて実行される。さらに他の実施形態において、システムは、ウィンドウズ（登録商標）環境において実行される（ウィンドウズはマイクロソフト社（米国、ワシントン州、レッドモンド）の登録商標である）。さらに他の実施形態において、システムは、メインフレーム環境且つＵＮＩＸ（登録商標）サーバ環境において実行される（ＵＮＩＸはＸ／Ｏｐｅｎ社（英国、バークシャー、レディング）の登録商標である）。さらに他の実施形態では、システムは、ｉＯＳ（登録商標）環境で実行される（ｉＯＳはシスコシステムズ社（米国、カリフォルニア州、サンノゼ）の登録商標である）。さらに他の実施形態では、システムは、ＭａｃＯＳ（登録商標）環境で実行される（ＭａｃＯＳはアップル社（米国、カリフォルニア州、クパチーノ）の登録商標である）。さらに他の実施形態では、システムは、アンドロイド（登録商標）ＯＳにおいて実行される（アンドロイドは、Ｇｏｏｇｌｅ社（米国、カリフォルニア州、マウンテンビュー）の登録商標である）。他の実施形態では、システムはＬｉｎｕｘ（登録商標）ＯＳにおいて実行される（Ｌｉｎｕｘはリーナス・トーバルズ（米国、マサチューセッツ州、ボストン）の登録商標である）。アプリケーションはフレキシブルであり、主要な機能を損なわずに、種々の異なる環境で実行されるように設計される。いくつかの実施形態において、システムは、複数の演算装置に分散された複数の構成部分を有する。１つ又は複数の構成部分は、コンピュータ読取可能なメディアにて具現化されるコンピュータ実行可能命令の形態をとる。システム及びプロセスは、ここで記載される特定の実施形態に制限されない。さらに、各システム及び各プロセスの構成部分は、ここで記載される他の構成部分やプロセスとは独立に且つ別々に実行することができる。各構成部分及び各プロセスは、他のアセンブリパッケージ（ａｓｓｅｍｂｌｙ  ｐａｃｋａｇｅｓ）やプロセスと組み合わせて使用してもよい。
【００１５】
一実施形態において、コンピュータプログラムが設けられ、該プログラムは、コンピュータ読取可能なメディアで具現化され、管理用のクライアントユーザインターフェースフロントエンド及び標準ユーザの入力・レポート用のウェブインターフェースで構造化照会言語（ＳＱＬ）を利用する。他の実施形態では、システムは、ウェブ対応であり、事業体のイントラネットにおいて実行される。他の実施形態では、システムは、アクセス権が付与された個人によって、事業体のファイアーウォール外からインターネットを通じて、完全にアクセスされる。さらに他の実施形態では、システムは、ウィンドウズ（登録商標）環境において実行される（ウィンドウズはマイクロソフト社（米国、ワシントン州、レッドモンド）の登録商標である）。アプリケーションはフレキシブルであり、主要な機能を損なわずに、種々の異なる環境で実行されるように設計される。
【００１６】
ここで、単数形で記載され、「ａ」又は「ａｎ」が付いた要素やステップは、特にことわりが無い限り、複数の要素や複数のステップを排除しないと理解されるべきである。さらに、本発明の「実施例」や「一実施形態」について言及するが、ここで記載される特徴を含む他の実施形態の存在を除外すると解釈されることを意図していない。
【００１７】
ここで、用語「データベース」は、データ集合体又は関係データベース管理システム（ＲＤＢＭＳ）又はその両方を指す。データベースとしては、階層型データベースや関係型データベースやカード型データベースやオブジェクト関係データベースやオブジェクト指向型データベースやコンピュータシステムに記憶されるその他の構造化されたレコード群又はデータ群を含むデータ群がある。上記例は、あくまでも例示のためであり、用語「データベース」の定義及び／又は意味を制限するものではない。ＲＤＢＭＳの例としては、制限するものではないが、オラクル（登録商標）データベース、ＭｙＳＱＬ、ＩＢＭ（登録商標）ＤＢ２、マイクロソフト（登録商標）ＳＱＬサーバ、Ｓｙｂａｓｅ（登録商標）、ＰｏｓｔｇｒｅＳＱＬ等が挙げられる。しかしながら、ここで記載されるシステム及び方法が実施可能であれば、任意のデータベースを使用してよい。（オラクルはオラクル社（米国、カリフォルニア州、レッドウッドショア）の登録商標である。ＩＢＭはＩＢＭ社（米国、ニューヨーク州、アーモンク）の登録商標である。マイクロソフトはマイクロソフト社（米国、ワシントン州、レッドモンド）の登録商標である。ＳｙｂａｓｅはＳｙｂａｓｅ社（米国、カリフォルニア州、ダブリン）の登録商標である。）
【００１８】
ここで、用語「ＤＳＲＣ」は、専用狭域通信を指す。ＤＳＲＣは、単方向又は双方向の狭域〜中域通信であってよい。ＤＳＲＣは、重要通信を基にした能動型安全アプリケーション（ｃｒｉｔｉｃａｌ  ｃｏｍｍｕｎｉｃａｔｉｏｎｓ−ｂａｓｅｄ  ａｃｔｉｖｅ  ｓａｆｅｔｙ  ａｐｐｌｉｃａｔｉｏｎｓ）のために、非常に高速なデータ送信が可能である。ＤＳＲＣの特性として、制限されないが、高速ネットワーク取得（通信の速やかな確立及び頻繁なアップデート）、低遅延（複数の装置は、遅延なしに、ミリ秒単位で、互いに認識しあい、互いにメッセージを送信しあう）、高信頼性（高速な車両移動中も動作し、天気状況に影響されない）、安全アプリケーションに優先度が与えられる、相互運用性（車車間通信（Ｖ２Ｖ）及び路車間通信（Ｖ２Ｉ）をサポートしている）、及びセキュリティ・プライバシー（メッセージ認証及びプライバシー）が挙げられる。
【００１９】
ここで使用される用語「プロセッサ」は、中央演算処理装置、マイクロプロセッサ、マイクロコントローラ、縮小命令セット回路（ＲＩＳＣ）、特定用途向け集積回路（ＡＳＩＣ）、論理回路、及びここで記載される機能を実行できるその他の回路や処理装置を指す。
【００２０】
ここで使用される用語「ソフトウェア」及び「ファームウェア」は相互に交換可能であり、プロセッサによって実行される、メモリ（ＲＡＭメモリ、ＲＯＭメモリ、ＥＰＲＯＭメモリ、ＥＥＰＲＯＭメモリ、非揮発性ＲＡＭ（ＮＶＲＡＭ）メモリ等）に記憶された任意のコンピュータプログラムを含む。上記メモリの種類はあくまで例示のためのものであり、コンピュータプログラムの記憶に使用可能であれば、上記種類には制限されない。
【００２１】
さらに、ここで用いられる用語「リアルタイム」は、関連事象の発生タイミング、所定データの測定及び収集タイミング、データの処理タイミング、事象及び環境に対するシステム応答のタイミング、のうちの少なくとも１つを指す。ここで記載される実施形態では、これらの動作及び事象は略瞬時に起こる。
【００２２】
図１Ａ〜図１Ｃは、ＤＳＲＣゾーン１１０、１１２、１１４を含む地図１０２、１２２、１４２の図１００、１２０、１４０を示す。
【００２３】
図１Ａは、地図１０２の図１００を示す。地図１０２は、道路１０４、道路標識１０６及び建物１０８を含む。
【００２４】
図１Ｂは、ＤＳＲＣ地図レイヤー１２２の図１２０を示す。ＤＳＲＣ地図レイヤー１２２は、複数のＤＳＲＣゾーン１１０、１１２を有する。ＤＳＲＣ地図レイヤー１２２はさらに、ＤＳＲＣゾーン１１４である建物１０８も有する。以下で詳細に説明されるように、ＤＳＲＣゾーン１１０、１１２、１１４は、ＤＳＲＣ送受信が通常動作から修正された領域を表す。いくつかのＤＳＲＣゾーン１１０、１１２、１１４において、ＤＳＲＣ送受信は、メッセージの種類や周波数によって制限される。他のＤＳＲＣゾーン１１０、１１２、１１４では、ＤＳＲＣメッセージの送信が抑えられている。これらのゾーンのうちのいくつかにおいては、特定の装置だけしか送信ができない。他のゾーンにおいては、膨大な量のデータを提供する大容量メッセージのようなＤＳＲＣメッセージは、特定のフォーマットである。ＤＳＲＣ動作は、他の方法で修正されてもよい。
【００２５】
実施形態において、ＤＳＲＣゾーン１１０は、ＤＳＲＣ装置の動作に影響を与えることになるであろう事故やその他の緊急状況によって生成されるゾーンのように、一時的なゾーンである。実施形態において、ＤＳＲＣゾーン１１２は、特定の位置の周辺に配置されたゾーンのような常設のＤＳＲＣゾーンである。例えば、ＤＳＲＣゾーン１１２は、自動車販売代理店の周辺に配置され、該代理店は、代理店周辺領域におけるＤＳＲＣ送受信の状況が特別であること（例えば、情報ダウンロードモード等）を示している。実施形態において、ＤＳＲＣゾーン１１４は、建物１０８に配置されたゾーンである。この実施形態において、建物１０８はスタジアムでもよいし病院でもよい。これら建物１０８では、建物１０８内にあるＤＳＲＣ装置は送信すべきでないことを示している。他の実施形態において、各ＤＳＲＣゾーン１１０、１１２、１１４は、ＤＳＲＣ装置が各ゾーン内にある際のＤＳＲＣ送受信に対して異なる規則を有する。
【００２６】
図１Ｃは、地図１０２にＤＳＲＣ地図レイヤー１２２を組み合わせたＤＳＲＣ地図１４２の図１４０を示す。いくつかの実施形態において、ＤＳＲＣ地図１４２は、ユーザに対して表示される。他の実施形態において、ＤＳＲＣ地図１４２は、ＤＳＲＣ装置の通信を制御するために、内部で用いられる。
【００２７】
図２は、図１Ｃに示されるＤＳＲＣ地図１４２に基づいてＤＳＲＣ装置２０５の通信プロファイルを制御する際に使用されるＤＳＲＣシステム２００の簡略ブロック図である。実施形態において、ＤＳＲＣシステム２００は、ＤＳＲＣ装置２０５の地理的位置に基づいてＤＳＲＣ装置２０５の通信を制御するために使用される。さらに、ＤＳＲＣシステム２００は、ＤＳＲＣ装置２０５の通信プロファイルを調整・制御するＤＳＲＣコントローラ２１０を有する。以下で詳細に説明するように、ＤＳＲＣコントローラ２１０は、ＤＳＲＣ装置２０５による送受信に関する規則を含むＤＳＲＣ装置２０５の通信プロファイルを記憶し、（図１Ｂに示される）ＤＳＲＣゾーン１１０を記述するＤＳＲＣゾーン情報を受信し、ＤＳＲＣ装置２０５の現在位置を判定し、該現在位置とＤＳＲＣゾーン情報とを比較し、比較結果に基づいて、ＤＳＲＣ装置２０５がＤＳＲＣゾーン１１０内にあるかどうかを判定し、ＤＳＲＣ装置２０５がＤＳＲＣゾーン１１０内にあると判定された場合、ＤＳＲＣゾーン情報に基づいて、ＤＳＲＣ装置２０５の通信プロファイルをアップデートする。
【００２８】
実施形態において、ＤＳＲＣ装置２０５は、専用狭域通信プロトコルを用いてメッセージを送受信できれば、任意の装置でよい。例えば、ＤＳＲＣ装置２０５は、車両（図示せず）内に含まれてよく、携帯電話やその他のモバイル電子機器でもよく、或いは、料金所の一部のように携帯できないインフラストラクチャ装置の一部でもよく、或いは、携帯可能な交通標識のように携帯可能なインフラストラクチャ装置の一部でもよい。実施形態において、ＤＳＲＣ装置２０５は、多くのインターフェースのうちの少なくとも１つを介してＤＳＲＣコントローラ２１０と通信可能である。該インターフェースの例としては、ローカルエリアネットワーク（ＬＡＮ）、ワイドエリアネットワーク（ＷＡＮ）、総合デジタル通信網（ＩＳＤＮ）、ダイヤルアップ接続、デジタル加入者回線（ＤＳＬ）、携帯電話接続、ブルートゥース接続、Ｗｉ−Ｆｉ接続、ケーブルモデム、有線接続（ｄｉｒｅｃｔ  ｗｉｒｅｄ  ｃｏｎｎｅｃｔｉｏｎ）、又はＤＳＲＣ装置２０５とＤＳＲＣコントローラ２１０間の通信を可能とするその他の任意の通信接続が挙げられる。実施形態において、ＤＳＲＣ装置２０５とＤＳＲＣコントローラ２１０との通信では、ＤＳＲＣプロトコルを使用しない。実施形態において、ＤＳＲＣ装置２０５は、ＤＳＲＣプロトコルを用いたＤＳＲＣ装置２０５の通信が、いつ、どのように行われるかを決定する通信プロファイルを有する。
【００２９】
実施形態において、ＤＳＲＣコントローラ２１０は、ＤＳＲＣ装置２０５の通信プロファイルを制御可能であれば、任意の装置でよい。すなわち、ＤＳＲＣコントローラ２１０は、多くのインターフェースを介してインターネットに通信可能に接続される。該インターフェースとしては、インターネット、ローカルエリアネットワーク（ＬＡＮ）、ワイドエリアネットワーク（ＷＡＮ）、総合デジタル通信網（ＩＳＤＮ）のようなネットワーク、ダイヤルアップ接続、デジタル加入者回線（ＤＳＬ）、携帯電話接続、ケーブルモデムのうちの少なくとも１つが挙げられる。ＤＳＲＣコントローラ２１０の例としては、携帯情報端末（ＰＤＡ）、携帯電話、デスクトップコンピュータ、ラップトップコンピュータ、サーバシステム、スマートフォン、タブレット、ファブレット、ウェアラブル電子機器、スマートウォッチ、車両コンピュータ装置、ここで記載される機能を行えるその他のウェブ対応接続装置やモバイル装置が挙げられる。
【００３０】
実施形態において、地図サーバ２３５は、インターネットを介した（図１Ａに示される）地図１０２のような地図情報のＤＳＲＣコントローラ２１０への送信を可能とするウェブブラウザ又はソフトウェアアプリケーションを有する１つ又は複数のコンピュータである。すなわち、地図サーバ２３５は、多くのインターフェースを介してインターネットに通信可能に接続されている。該インターフェースとしては、ローカルエリアネットワーク（ＬＡＮ）、ワイドエリアネットワーク（ＷＡＮ）、総合デジタル通信網（ＩＳＤＮ）のようなネットワーク、ダイヤルアップ接続、デジタル加入者回線（ＤＳＬ）、携帯電話接続、ケーブルモデムのうちの少なくとも１つが挙げられる。実施形態において、ＤＳＲＣコントローラ２１０は、ＤＳＲＣ装置２０５の位置の地図１０２のために、地図サーバ２３５にアクセスする。いくつかの実施形態において、地図サーバ２３５は、ＤＳＲＣコントローラ２１０に関連付けられた位置特定装置２３０と通信する。これら実施形態において、地図サーバ２３５は、位置特定装置２３０によって、地図１０２をＤＳＲＣコントローラ２１０に伝達する。
【００３１】
実施形態において、ＤＳＲＣゾーンサーバ２２５は、インターネットを用いたＤＳＲＣゾーン情報のＤＳＲＣコントローラ２１０への送信を可能とするウェブブラウザ又はソフトウェアアプリケーションを有する１つ又は複数のコンピュータである。すなわち、ＤＳＲＣゾーンサーバ２２５は、多くのインターフェースを介してインターネットに通信可能に接続されている。該ネットワークとしては、ローカルエリアネットワーク（ＬＡＮ）、ワイドエリアネットワーク（ＷＡＮ）、総合デジタル通信網（ＩＳＤＮ）のようなネットワーク、ダイヤルアップ接続、デジタル加入者回線（ＤＳＬ）、携帯電話接続、ケーブルモデムのうちの少なくとも１つが挙げられる。実施形態において、ＤＳＲＣコントローラ２１０は、（図１Ｂに示される）ゾーン１１０、１１２、１１４のようなＤＳＲＣゾーンに関するＤＳＲＣゾーン情報のために、ＤＳＲＣゾーンサーバ２２５にアクセスする。いくつかの実施形態において、ＤＳＲＣゾーンサーバ２２５は、（図１Ｂに示される）ＤＳＲＣ地図レイヤー１２２をＤＳＲＣコントローラ２１０へ送信する。他の実施形態において、ＤＳＲＣコントローラ２１０は、ＤＳＲＣゾーンサーバ２２５から受信したＤＳＲＣゾーン情報からＤＳＲＣ地図レイヤー１２２を作成する。
【００３２】
データベースサーバ２１５は、データを記憶するデータベース２２０に通信可能に接続される。一実施形態において、データベース２２０は、地図１０２、ＤＳＲＣ地図レイヤー１２２、ＤＳＲＣゾーン情報及び通信プロファイルを有する。実施形態において、データベース２２０は、ＤＳＲＣコントローラ２１０から離れた場所で記憶される。いくつかの実施形態において、データベース２２０は、分散化されている。実施形態において、ユーザは、ＤＳＲＣコントローラ２１０にログインすることによってユーザコンピュータ装置（図示せず）を介して、又はＤＳＲＣコントローラ２１０を直接介して、データベース２２０にアクセス可能である。
【００３３】
実施形態において、ＤＳＲＣコントローラ２１０は、１つ又は複数の位置特定装置２３０と通信する。実施形態において、位置特定装置２３０は、ＤＳＲＣ装置２０５に関連付けられ、ＤＳＲＣ装置２０５の現在位置を判定するように構成される。位置特定装置２３０の例としては、全地球測位システム（ＧＰＳ）、Ｗｉ−Ｆｉによる位置検知システム、セル方式位置検知システムが挙げられる。位置特定装置２３０は、ＤＳＲＣ装置２０５の現在位置をＤＳＲＣコントローラ２１０へ送信するように構成される。ある実施形態では、位置特定装置２３０は、ＤＳＲＣ装置２０５と同じ場所に配置される。また他の実施形態では、位置特定装置２３０は、ＤＳＲＣ装置２０５から離れて配置されてもよく、ＤＳＲＣ装置の位置を離れた場所で判定する。実施形態において、位置特定装置２３０は、多くのインターフェースのうちの少なくとも１つを介してＤＳＲＣコントローラ２１０と通信可能である。該インターフェースの例としては、ローカルエリアネットワーク（ＬＡＮ）、ワイドエリアネットワーク（ＷＡＮ）、総合デジタル通信網（ＩＳＤＮ）、ダイヤルアップ接続、デジタル加入者回線（ＤＳＬ）、携帯電話接続、ブルートゥース接続、Ｗｉ−Ｆｉ接続、ケーブルモデム、有線接続（ｄｉｒｅｃｔ  ｗｉｒｅｄ  ｃｏｎｎｅｃｔｉｏｎ）、又は位置特定装置２３０とＤＳＲＣコントローラ２１０間の通信を可能とするその他の任意の通信接続が挙げられる。いくつかの実施形態において、位置特定装置２３０は、ＤＳＲＣ装置２０５を有する、車両又は携帯電話又はその他のモバイル装置に組み込まれる。実施形態において、位置特定装置２３０とＤＳＲＣコントローラ２１０との間の通信は、ＤＳＲＣプロトコルを使用しない。実施形態において、位置特定装置２３０は、ＤＳＲＣ装置２０５の更新された位置を、リアルタイムで、ＤＳＲＣコントローラ２１０へ供給する。
【００３４】
図３は、本発明の一実施形態に係る、図２に示されるクライアントシステムの構成例を示す図である。ユーザコンピュータ装置３０２はユーザ３０１によって操作される。ユーザコンピュータ装置３０２は、例えば、ＤＳＲＣ装置２０５及び位置特定装置２３０（共に図２に示される）を有してもよい。ユーザコンピュータ装置３０２は、命令を実行するプロセッサ３０５を有する。いくつかの実施形態において、実行可能命令はメモリ領域３１０に記憶される。プロセッサ３０５は、１つ又は複数の処理装置を有してもよい（例えば、マルチコア構成）。メモリ領域３１０は、実行可能命令やトランザクションデータのような情報が記憶・取り出し可能であれば、任意の装置でよい。メモリ領域３１０は、１つ又は複数のコンピュータ読取可能なメディア（媒体）を含んでよい。
【００３５】
ユーザコンピュータ装置３０２はさらに、情報をユーザ３０１に提示するための少なくとも１つのメディア出力部３１５を有する。メディア出力部３１５は、情報をユーザ３０１に提供可能であれば、任意の構成部分でよい。いくつかの実施形態において、メディア出力部３１５は、ビデオアダプタやオーディオアダプタのような出力アダプタ（図示せず）を有する。出力アダプタは、プロセッサ３０５に動作可能に接続され、ディスプレイ装置（例えば、ブラウン管（ＣＲＴ）、液晶ディスプレイ（ＬＣＤ）、発光ダイオード（ＬＥＤ）ディスプレイ、電子インクディスプレイ）やオーディオ出力装置（例えば、スピーカ、ヘッドホン）のような出力装置に動作可能に接続可能である。いくつかの実施形態において、メディア出力部３１５は、ユーザ３０１に対してグラフィカル・ユーザ・インターフェース（例えば、ウェブブラウザやクライアントアプリケーション）を提示する。グラフィカル・ユーザ・インターフェースは、例えば、（図１Ａに示されるような）地図１０２をユーザ３０１に表示するための地図インターフェースを含んでよい。いくつかの実施形態において、ユーザコンピュータ装置３０２は、ユーザ３０１からの入力を受信するための入力装置３２０を有する。ユーザ３０１は、入力装置３２０を用いて、例えば、位置の選択、制御、入力を行って、閲覧する。入力装置３２０の例としては、例えば、キーボード、ポインティング・デバイス、マウス、スタイラスペン、タッチ式パネル（例えば、タッチパッド、タッチスクリーン）、ジャイロスコープ、加速度計、位置検出器、バイオメトリック入力装置（ｂｉｏｍｅｔｒｉｃ  ｉｎｐｕｔ  ｄｅｖｉｃｅ）、オーディオ入力装置が挙げられる。タッチスクリーンのような単一の構成部品が、メディア出力部３１５の出力装置及び入力装置３２０の両方の機能を行ってもよい。
【００３６】
ユーザコンピュータ装置３０２はさらに、ＤＳＲＣコントローラ２１０や地図サーバ２３５（共に図２に示されている）のような離れた場所にある装置に通信可能に接続される通信インターフェース３２５を有してもよい。通信インターフェース３２５は、例えば、有線又は無線ネットワークアダプタ及び／又はモバイル通信網で使用される無線データ送受信機を有してもよい。
【００３７】
メモリ領域３１０には、例えば、メディア出力部３１５を介してユーザ３０１に対してユーザインターフェースを提供するための、さらに任意であるが、入力装置３２０からの入力を受信・処理するためのコンピュータ読取可能命令が記憶される。ユーザインターフェースは、いくつかの可能性があるが、特に、ウェブブラウザ及び／又はクライアントアプリケーションを有する。クライアントアプリケーションによって、ユーザ３０１は、例えば、ＤＳＲＣコントローラ２１０と交信することが可能となる。例えば、命令は、クラウドサービスによって記憶されてもよく、また命令の実行の出力はメディア出力部３１５に送られてもよい。
【００３８】
図４は、本発明の一実施形態に係る、図２に示されるサーバシステムの構成例を示す。サーバコンピュータ装置４０１は、例えば、ＤＳＲＣコントローラ２１０、データベースサーバ２１５、地図サーバ２３５、ＤＳＲＣゾーンサーバ２２５（全て図２に示されている）を含んでよい。サーバコンピュータ装置４０１はさらに、命令を実行するためのプロセッサ４０５を有する。命令はメモリ領域４１０に記憶される。プロセッサ４０５は、１つ又は複数の処理装置を有してもよい（例えば、マルチコア構成）。
【００３９】
プロセッサ４０５は、サーバコンピュータ装置４０１が離れた場所にある装置と通信できるように通信インターフェース４１５に動作可能に接続される。離れた場所にある装置としては、別のサーバコンピュータ装置４０１、ＤＳＲＣコントローラ２１０、データベースサーバ２１５、地図サーバ２３５、ＤＳＲＣゾーンサーバ２２５、ＤＳＲＣ装置２０５、位置特定装置２３０（図２参照）等である。例えば、通信インターフェース４１５は、ＤＳＲＣコントローラ２１０からのリクエストを受信する。
【００４０】
プロセッサ４０５はさらに、記憶装置４３４に動作可能に接続される。記憶装置４３４は、例えば、データベース２２０（図２参照）に関連付けられたデータのようなデータの記憶及び／又は取り出しに適していれば、任意のコンピュータ動作ハードウェアでよい。いくつかの実施形態において、記憶装置４３４は、サーバコンピュータ装置４０１に組み込まれる。例えば、サーバコンピュータ装置４０１は、記憶装置４３４として、１つ又は複数のハードディスクドライブを有してよい。他の実施形態では、記憶装置４３４は、サーバコンピュータ装置４０１の外部にあり、複数のサーバコンピュータ装置４０１によってアクセスされてよい。例えば、記憶装置４３４としては、ストレージ・エリア・ネットワーク（ＳＡＮ）、ネットワーク接続ストレージ（ＮＡＳ）システム、及び／又は、ＲＡＩＤ（安価なディスクを冗長化するように配列する構成）構成のハードディスクやソリッドステートディスクのような複数の記憶ユニットが挙げられる。
【００４１】
いくつかの実施形態において、プロセッサ４０５は、ストレージインターフェース４２０を介して、記憶装置４３４に動作可能に接続される。ストレージインターフェース４２０は、プロセッサ４０５が記憶装置４３４に対してアクセス可能となるのであれば、任意の構成部品でよい。ストレージインターフェース４２０としては、例えば、アドバンスト・テクノロジー・アタッチメント（ＡＴＡ）アダプタ、シリアルＡＴＡ（ＳＡＴＡ）アダプタ、小型計算機システムインターフェース（ＳＣＳＩ）アダプタ、ＲＡＩＤコントローラ、ＳＡＮアダプタ、ネットワークアダプタ、及び／又はプロセッサ４０５による記憶装置４３４へのアクセスを可能とする任意の構成部品が挙げられる。
【００４２】
プロセッサ４０５は、本発明の態様を実施するため、コンピュータ実行可能命令を実行する。いくつかの実施形態において、プロセッサ４０５は、コンピュータ実行可能命令を実行することによって、又は別のやり方でプログラムされることによって、特定用途のマイクロプロセッサになる。例えば、プロセッサ４０５は、図５に示されるような命令でプログラムされる。
【００４３】
図５は、ＤＳＲＣシステム２００（図２参照）によって、ＤＳＲＣ装置２０５の現在の地理的位置に基づいてＤＳＲＣ装置２０５（図２参照）の通信プロファイルを制御するためのプロセス５００のフローチャートである。実施形態において、プロセス５００は、ＤＳＲＣコントローラ２１０（図２参照）によって実行される。
【００４４】
実施形態において、ＤＳＲＣコントローラ２１０は、ステップ５０５において、ＤＳＲＣ装置２０５の通信プロファイルを記憶する。通信プロファイルは、ＤＳＲＣ装置２０５による送受信の規則を含む。いくつかの実施形態において、通信プロファイルのコピーがＤＳＲＣ装置２０５にローカルに記憶されると同時に、ＤＳＲＣコントローラ２１０によって、同じコピーが例えばデータベース２２０（図２参照）に記憶される。他の実施形態において、ＤＳＲＣコントローラ２１０は、ＤＳＲＣコントローラ２１０とＤＳＲＣ装置２０５の両方によってアクセス可能なメモリ領域に通信プロファイルを記憶する。これら実施形態において、ＤＳＲＣ装置２０５は、送信前にローカルに記憶された通信プロファイルにアクセスし、通信プロファイルに基づいて通信パラメータを設定する。これらパラメータの例としては、送信のＯＮ／ＯＦＦ、所定時間当たり送信を１回に制限すること、送信のサイズ及び／又は種類の制限、送信周波数、送信電力レベル、送信のメッセージフォーマット、受信確認するかどうか、ＤＳＲＣ装置２０５がここで記載する機能を実施できるようにするためのその他のパラメータ設定等が挙げられる。
【００４５】
実施形態において、ＤＳＲＣコントローラ２１０は、ステップ５１０で、（図１Ｂに示される）ＤＳＲＣゾーン１１０、１１２、１１４のようなＤＳＲＣゾーンを記述するＤＳＲＣゾーン情報を受信する。ＤＳＲＣコントローラ２１０は、ステップ５１０において、ＤＳＲＣゾーンサーバ２２５からＤＳＲＣゾーン情報を受信する。ＤＳＲＣゾーン情報には、少なくとも、ＤＳＲＣゾーンの位置及びゾーンの種類、が含まれる。位置としては、ゾーン１１０に包含される（図１Ｃに示される）道路１０４の一部のような道路の一部等が挙げられる。該位置としてはまた、ある地点や、ゾーン１１２のような地点を中心とした半径範囲であってもよい。さらにまた、該位置としては、ゾーン１１４に関連付けられる（図１Ａに示される）建物１０８の住所のように、住所であってもよい。位置としては、ＤＳＲＣゾーンの位置を記述するのに必要とされるその他の任意の情報でもよい。ゾーンの種類は、ＤＳＲＣ装置２０５がＤＳＲＣゾーン内においてどのように通信を行うかということに関連付けられる。ゾーンの種類は、例えば、ＤＳＲＣゾーンは送信を行わないゾーンであることを示すものであってもよい。いくつかの実施形態では、ゾーン情報はゾーンの種類を変数として含むだけにして、ＤＳＲＣコントローラ２１０は、該変数とデータベース２２０に記憶されたテーブルとに基づいて、通信パラメータを決定する。他の実施形態では、ゾーン情報は、通信プロファイルに含まれるべき特定の情報を含む。
【００４６】
実施形態において、ＤＳＲＣコントローラ２１０は、地図１０２及びＤＳＲＣ地図レイヤー１２２を含む地図情報を記憶する。ＤＳＲＣコントローラ２１０がステップ５１０においてＤＳＲＣゾーン情報を受信すると、ＤＳＲＣコントローラ２１０は、そのゾーン情報に基づいて、ＤＳＲＣ地図レイヤー１２２をアップデートする。ゾーン情報に基づいて、ＤＳＲＣコントローラ２１０は、ＤＳＲＣゾーンを加えたり、ＤＳＲＣゾーンを削除したり、ＤＳＲＣゾーンを移動させたり、ＤＳＲＣゾーンを修正したりする。
【００４７】
実施形態において、ＤＳＲＣコントローラ２１０は、ステップ５１５で、ＤＳＲＣ装置２０５の現在位置を決定する。ＤＳＲＣコントローラ２１０は、（図２に示される）位置特定装置２３０から、ＤＳＲＣ装置２０５の現在位置を受信する。ＤＳＲＣコントローラ２１０は、ステップ５２０において、該現在位置をＤＳＲＣゾーン情報と比較する。ＤＳＲＣコントローラ２１０は、ステップ５２５において、前記比較に基づいて、ＤＳＲＣ装置がＤＳＲＣゾーン内に位置しているかどうかを判定する。
【００４８】
いくつかの実施形態において、ＤＳＲＣコントローラ２１０は、ステップ５２５において、現在位置とＤＳＲＣ地図レイヤー１２２とを比較して、現在位置が、ＤＳＲＣ地図レイヤー１２２に含まれるＤＳＲＣゾーン内に位置しているかどうかを判定する。他の実施形態において、ＤＳＲＣコントローラ２１０は、現在位置とＤＳＲＣ地図１４２とを比較して、ＤＳＲＣ地図１４２上におけるＤＳＲＣ装置２０５の現在位置とＤＳＲＣゾーンの位置との相対距離を分析する。これら実施形態では、ＤＳＲＣコントローラ２１０は、ＤＳＲＣ装置２０５がＤＳＲＣゾーン１１０にまさに入ろうとしていることを判定してもよい。いくつかの実施形態において、ＤＳＲＣコントローラ２１０は、ＤＳＲＣ装置２０５がＤＳＲＣゾーン１１０から所定距離内にあると判断した場合、ＤＳＲＣ装置２０５がＤＳＲＣゾーン１１０内にあるとみなす。
【００４９】
ＤＳＲＣ装置２０５がＤＳＲＣゾーン１１０内にあると判定された場合、ＤＳＲＣコントローラ２１０は、ステップ５３０において、ＤＳＲＣゾーン情報に基づいて、通信プロファイルをアップデートする。いくつかの実施形態において、ＤＳＲＣコントローラ２１０は、ゾーン情報に基づいて、ＤＳＲＣ装置２０５の通信プロファイルをアップデートし、アップデートされた通信プロファイルをＤＳＲＣ装置２０５に送信する。他の実施形態において、ＤＳＲＣコントローラ２１０は、ＤＳＲＣコントローラ２１０及びＤＳＲＣ装置２０５の両方によってアクセス可能なメモリの領域に通信プロファイルを記憶する。
【００５０】
ゾーン情報に応じて、ＤＳＲＣコントローラ２１０は、ＤＳＲＣ装置２０５が現在位置しているＤＳＲＣゾーンによって指示される方式で通信するように通信プロファイルをアップデートする。いくつかの場合において、通信プロファイルは、ＤＳＲＣ装置２０５がメッセージを送信しないようにしたり、ＤＳＲＣ装置２０５を、膨大な量のデータが受信できるモードに設定したり、ＤＳＲＣ装置２０５が１つ又は複数の特定の種類のメッセージしか送信できないようにしたり、ＤＳＲＣ装置２０５が所定サイズ以下のメッセージしか送信できないようにしたり、ＤＳＲＣ装置２０５が所定条件の下でしかメッセージを送信できないようにしたり、ＤＳＲＣゾーンに基づいて、所望の方式で通信能力を修正したりする。
【００５１】
他の実施形態において、ゾーンの種類は、ＤＳＲＣゾーンは一時的なゾーンであることを示すものである。例えば、ＤＳＲＣゾーン１１０は、図１Ｃに示すように、州間高速道路６６で発生した事故に起因する場合もある。ＤＳＲＣゾーン１１０が大幅な減速状況や交通渋滞を示す場合、ＤＳＲＣゾーン１１０は、該ＤＳＲＣゾーン１１０内におけるＤＳＲＣメッセージを最小限に抑えるように設定される。ゾーン情報は、ＤＳＲＣゾーン１１０のためにタイマーや終了時間を含んでもよい。例えば、ＤＳＲＣゾーン１１０は、所定の時刻に終了するよう設定されてもよいし、開始から所定時間が経過したら終了するように設定されてもよい。他の実施形態において、ゾーン情報は、ＤＳＲＣゾーン１１０が終了したこと或いはＤＳＲＣゾーン１１０は有効期間が終了していることを知らせるメッセージを含む。これら実施形態では、ＤＳＲＣコントローラ２１０は、ＤＳＲＣゾーン１１０を除去或いは消去する。たった今消去されたＤＳＲＣゾーン１１０内にＤＳＲＣ装置２０５が存在していた場合、ＤＳＲＣコントローラ２１０は、ステップ５３０において、ＤＳＲＣ装置２０５はもはやＤＳＲＣゾーン１１０に存在していないということに基づいて、ＤＳＲＣ装置２０５の通信プロファイルをアップデートする。
【００５２】
いくつかの実施形態において、ＤＳＲＣコントローラ２１０は、例えば５分後のように、後続の時間において、ＤＳＲＣ装置２０５の更新された現在位置を受信する。ＤＳＲＣコントローラ２１０は、その更新された現在位置とＤＳＲＣゾーン情報に基づいて、ＤＳＲＣ装置２０５はＤＳＲＣゾーン１１０内に位置していないことを決定する。ＤＳＲＣコントローラ２１０は、ステップ５３０において、ＤＳＲＣ装置２０５はもはやＤＳＲＣゾーン１１０に位置していないということに基づいて、ＤＳＲＣ装置２０５の通信プロファイルをアップデートする。実施形態では、位置特定装置２３０は、ＤＳＲＣ装置２０５の更新された現在位置をＤＳＲＣコントローラ２１０に、リアルタイムで、供給する。
【００５３】
いくつかの実施形態において、１より多い数のＤＳＲＣゾーン（すなわち、ゾーン１１０、１１２）が重なっていてもよい。そこでは、ＤＳＲＣ装置２０５は、１より多い数のＤＳＲＣゾーン内に位置している。これらの実施形態のうちのいくつかでは、ＤＳＲＣコントローラ２１０は、各ゾーン情報に基づいて、ＤＳＲＣゾーン１１０は別のＤＳＲＣゾーン１１２よりも優先されると判定する。他の実施形態では、ＤＳＲＣコントローラ２１０は、ステップ５３０において、ＤＳＲＣゾーン１１０、１１２のうち制限が厳しい方のゾーンに基づいて、通信プロトコルをアップデートする。さらに他の実施形態では、ＤＳＲＣコントローラ２１０は、ＤＳＲＣゾーン１１０、１１２の通信制限がオーバーラップしない場合は、ステップ５３０において、ＤＳＲＣゾーン１１０、１１２の両方に合わせるように通信プロファイルをアップデートする。例えば、ＤＳＲＣゾーン１１０は所定の種類のメッセージに関してのみ規定し、ＤＳＲＣゾーン１１２は所定のサイズ以下のメッセージに関してのみ規定しているような場合である。
【００５４】
図６は、（図２に示される）ＤＳＲＣシステム２００に使用される１つ又は複数の演算装置の構成部分の概略図６００である。いくつかの実施形態において、演算装置６１０は、（図２に示される）ＤＳＲＣコントローラ２１０と同様な装置である。データベース６２０は、演算装置６１０内において、特定のタスクを実行する複数の個別の構成部分に結合されている。この実施形態では、データベース６２０は、（図１Ａに示される）地図１０２と同様の地図６２２と、（図１Ｂに示される）ＤＳＲＣ地図レイヤー１２２と同様のＤＳＲＣ地図レイヤー６２４と、ＤＳＲＣゾーン情報６２６と、通信プロファイル６２８と、を有する。いくつかの実施形態において、データベース６２０は、（図２に示される）データベース２２０と同じようなデータベースである。
【００５５】
演算装置６１０は、データベース６２０とデータ記憶装置６３０とを有する。演算装置６１０はさらに、（図５に示される）ステップ５１０におけるＤＳＲＣゾーン情報の受信を行う通信部６４０を有する。演算装置６１０はさらに、（図５に示される）ステップ５１５におけるＤＳＲＣ装置の現在位置の判定及び（図５に示される）ステップ５２５におけるＤＳＲＣ装置がＤＳＲＣゾーン内にあるかどうかの判定を行う判定部６５０を有する。演算装置６１０はさらに、（図５に示される）ステップ５２０における現在位置とＤＳＲＣゾーン情報との比較を行う比較部６６０を有する。さらに、演算装置６１０は、（図５に示される）ステップ５３０における通信プロファイルのアップデートを行うアップデート部６７０を有する。処理部６８０は、システムに関連付けられたコンピュータ実行可能命令の実行をアシストする。
【００５６】
本発明の態様を詳細に記載してきたが、請求の範囲に記載される本発明の態様の範囲を逸脱することなく、変形及び変更が可能なことは明らかであろう。上述の構造、製品、方法は、本開示の態様の範囲から逸脱することなく、種々の変更が可能なように、上記記載に含まれ又添付図面に示される全ての要素は例示のためであり、本発明を制限することを意図されていない。
【００５７】
本発明は、特定の実施形態について記載されたが、請求項の範囲内における変形を伴って実施できることは当業者であれば理解できよう。
【００５８】
本明細書で使用される「非一過性コンピュータ読取可能メディア」という用語は、情報（例えば、コンピュータ読取可能命令、データ構造、プログラムモジュール及びサブモジュール、任意の装置におけるその他のデータ）の短期及び長期の記憶のための任意の方法又は技術において実施される任意の有形のコンピュータ利用の装置を表すことを意図している。従って、本明細書に記載の方法は、限定はされないが、記憶装置及び/又はメモリ装置を含む有形の非一過性コンピュータ読取可能メディアに具体化された実行可能命令として符号化することができる。このような命令は、プロセッサによって実行されると、プロセッサは、本明細書で記載された方法の少なくとも一部を実行する。さらに、本明細書で使用する「非一過性コンピュータ読取可能メディア」という用語は、限定はされないが、例えば、非一過性コンピュータ記憶装置のような、全ての有形のコンピュータ読取可能メディアを含む。非一過性コンピュータ記憶装置には、例えば、揮発性及び不揮発性メディア、並びにファームウェア、物理的及び仮想記憶領域、ＣＤ−ＲＯＭ、ＤＶＤのような取外し可能メディア或いは固定式メディア、またネットワークやインターネット等のようなその他の任意の他のデジタルソース、さらには、開発中のデジタル手段等が含まれるが、唯一の例外は一過性の伝搬信号である。
【００５９】
ここで記載された説明においては、例を用いて、最良の形態を含む実施形態を開示し、任意の装置又はシステムを作製・使用すること、またそれらを組み入れた方法を実行することを含む実施形態を当業者が実施可能となるように説明してきた。本発明の範囲は請求項の範囲によって定義され、当業者であれば想到できる他の例を含んでよい。そのような他の例が請求項の範囲の記載と異ならない構成要素を有する場合、或いはそのような他の例が請求項の範囲の記載とはわずかな配置差を有する同等の構成要素を含む場合、そのような他の例は請求項の範囲内にあるとされる。
【図１Ａ】
2018125847.tif 000003
【図１Ｂ】
2018125847.tif 000004
【図１Ｃ】
2018125847.tif 000005
【図２】
2018125847.tif 000006
【図３】
2018125847.tif 000007
【図４】
2018125847.tif 000008
【図５】
2018125847.tif 000009
【図６】
2018125847.tif 000010